(57)【要約】【課題】低透水層を備えた地盤や地表にアスファルトが敷設された地盤であっても、大量の雨水を排水できるようにする。【解決手段】地下に透水性の高い透水層３を備えた地盤４における排水構造１０は、地表に降った雨水を集水する雨水トレンチ２２及び集水枡２１からなる集水手段２０と、透水層３まで到達するような貫通孔からなり、集水手段２０により集水された雨水が流れ込む排水経路３０と、を備える。【選択図】図２
2011080332.tif 000002
【特許請求の範囲】
【請求項１】
地下に透水性の高い透水層を備えた地盤における排水構造であって、
地表に降った雨水が集水される集水部と、
上端が前記集水部と連通するとともに下端が前記透水層まで到達する孔からなる排水経路と、
を備えることを特徴とする排水構造。
【請求項２】
前記排水経路には、砕石が充填されていることを特徴とする請求項１記載の排水構造。
【請求項３】
前記地盤は、前記透水層の上方に前記透水層よりも透水性の低い低透水層を備え、又は、地表面にアスファルトが敷設されていることを特徴とする請求項１又は２記載の排水構造。
【請求項４】
請求項１から３のうち何れか１項に記載の排水構造であって、
前記集水部へ雨水を集水する集水溝を更に備えることを特徴とする排水構造。
【発明の詳細な説明】
【技術分野】
【０００１】
本発明は、透水層を備えた地盤における排水構造に関する。
【背景技術】
【０００２】
従来より、降雨時における洪水等を防止すべく、雨水を排水するための排水構造を設けている。このような排水構造としては、排水トラフを介して集水枡に雨水を集水し、集水枡から地盤に水を浸透させて、あるいは集水枡から雨水排水管を通して排水するものが用いられている（例えば、特許文献１参照）。
【先行技術文献】
【特許文献】
【０００３】
【特許文献１】特開２００７−１７７６１４号公報
【発明の概要】
【発明が解決しようとする課題】
【０００４】
しかしながら、上記のような排水構造では、水を急速に地盤に大量に浸透させることができず、集中豪雨など想定以上の降雨の際には、降雨量が排水可能な量を超えてしまい、集水枡から水があふれ出してしまう。特に、地表面にアスファルトが敷設された地盤や、ローム層などの低透水層を備えた地盤では、雨水の浸透量がさらに限られてしまうため、雨水を排水しきれない。
【０００５】
本発明は、上記の問題に鑑みなされたものであり、その目的は、低透水層を備えた地盤や地表にアスファルトが敷設された地盤であっても、大量の雨水を排水できるようにすることである。
【課題を解決するための手段】
【０００６】
本発明の排水構造は、地下に透水性の高い透水層を備えた地盤における排水構造であって、地表に降った雨水が集水される集水部と、上端が前記集水部と連通するとともに下端が前記透水層まで到達する孔からなる排水経路と、を備えることを特徴とする。
【０００７】
上記の排水構造において、前記排水経路には、砕石が充填されていてもよい。
また、前記地盤は、前記透水層の上方に前記透水層よりも透水性の低い低透水層を備え、又は、地表面にアスファルトが敷設されていてもよい。
また、前記集水部へ雨水を集水する集水溝を更に備えてもよい。
【発明の効果】
【０００８】
本発明によれば、透水層に到達するように貫通孔を形成し、この貫通孔を通して雨水を透水層に排水するため、集中豪雨時などにおいても大量の雨水を排水できる。
【図面の簡単な説明】
【０００９】
【図１】本実施形態の排水構造を示し、（Ａ）は平面図、（Ｂ）は（Ａ）におけるＩ―Ｉ断面図である。
【図２】排水構造における降雨時の雨水の流れを示し、Ａ）は平面図、（Ｂ）は（Ａ）におけるＩ―Ｉ断面図である。
【発明を実施するための形態】
【００１０】
以下、本発明の排水構造の一実施形態を図面を参照しながら詳細に説明する。
図１は、本実施形態の排水構造１０を示し、（Ａ）は平面図、（Ｂ）は（Ａ）におけるＩ―Ｉ断面図である。本実施形態の排水構造１０は、例えば、ローム層などの低透水層２と、この低透水層２の下方に位置する礫層などの透水層３とを備えた地盤４における雨水を排水するためのものである。同図に示すように、本実施形態の排水構造１０は、建物１の周囲を取り囲むように設けられた雨水トレンチ２２及び雨水トレンチ２２に適宜な間隔をあけて設けられた集水枡２１とからなる集水手段２０と、集水枡２１から透水層３に到達するように形成された排水経路３０とを備える。
【００１１】
雨水トレンチ２２は、断面形状が略矩形の溝からなり、内部に砕石２３が充填されている。また、雨水トレンチ２２の底面には、集水枡２１に向かって下り勾配となる傾斜が設けられている。
【００１２】
集水枡２１は、上面が開口する内部に略直方体状の空間が形成されたコンクリート部材からなり、その底面には排水経路３０の上端が開口している。また、集水枡２１の上部は蓋部材２１Ａにより閉鎖されている。
【００１３】
排水経路３０は、例えば、オーガーなどにより地盤４に透水層３まで到達する貫通孔を形成し、貫通孔内に砕石３１を充填することで構築される。なお、低透水層２がローム層である場合には、地盤４を掘削しても自立可能であるため、容易に貫通孔を形成することができる。
【００１４】
また、建物１の屋根において集水された雨水を排出する排水口１Ａと、集水枡２１とを結ぶように配管４０が設けられている。なお、配管４０は地上に設けてもよいが、地下に設けることが望ましい。
【００１５】
図２は、排水構造１０における降雨時の雨水の流れを示し、Ａ）は平面図、（Ｂ）は（Ａ）におけるＩ―Ｉ断面図である。同図に示すように、建物１の敷地の地表に降った雨水は、雨水トレンチ２２に流れ込む。そして、上記のように雨水トレンチ２２には、集水枡２１に向かって下り勾配となる傾斜が設けられているため、雨水トレンチ２２に流れ込んだ雨水は集水枡２１に流れ込む。また、建物１の屋根に降った雨水は排水口１Ａから配管４０を通り、集水枡３０へと流れ込む。
【００１６】
そして、このように集水枡２１へ流れ込んだ雨水は排水経路３０内を流れて、透水層３に流れ込む。この際、排水経路３０内の砕石３１がフィルタとして機能し、浮遊物などを除去する。
【００１７】
本実施形態によれば、雨水を排水経路３０を通じて透水層３に流し込むため、低透水層２を備えた地盤であっても大量の雨水であっても確実に排水することができる。
【００１８】
また、排水経路３０は、オーガー等により下端が透水層３に到達するように貫通孔を形成し、貫通孔内に砕石を充填するのみで構築することができるため、施工コストを抑えることができる。
【００１９】
また、雨水を透水層３に排水するため、地下水を涵養することができ、環境保全に寄与することができる。
【００２０】
なお、本実施形態では、排水経路３０内に砕石３１を充填することとしたが、これに限らず、地盤が自立可能な場合には砕石３１を省略してもよい。
【００２１】
また、本実施形態では、雨水トレンチ２２内に砕石２３を充填することとしたが、これに限らず、雨水トレンチ２２内に砕石２３を充填せずに、雨水トレンチ２２の上部を蓋で塞ぐこととしてもよい。
【００２２】
また、本実施形態では、ローム層などの透水性の低い低透水層３を備えた地盤に本発明の排水構造を適用した場合について説明したが、これに限らず、アスファルトなどの透水性が低い材料が敷設された地盤であっても、本発明を適用できる。このような場合には、アスファルトを貫通し、透水層まで到達するような排水経路を設ければよい。
【００２３】
また、本実施形態では、建物の周囲に排水構造を設けた場合について説明したが、これに限らず、都市など全体に本発明の排水構造を設けることも可能である。すなわち、街路などに雨水トレンチ及び集水枡を設けておき、この集水枡から浸透層まで到達する排水経路を設ける。これにより、都市全体で環境保全に寄与することができる。
【符号の説明】
【００２４】
１  建物                                ２  低透水層
３  透水層                              ４  地盤
１０  排水構造                          ２０  集水手段
２１  集水枡                            ２２  雨水トレンチ
２３  砕石                              ３０  排水経路
３１  砕石                              ４０  配管
【図１】
2011080332.tif 000003
【図２】
2011080332.tif 000004